(57)【要約】【課題】融雪用面状ヒーターを屋根に設置する際、いかに屋根自体を傷つけることなく、容易にかつ屋根と融雪用面状ヒーターの間に雨水が流れる空間を確保することを課題とする。【解決手段】  主に瓦屋根、平葺屋根、トタン瓦棒平葺屋根各々の先端部に、軒先嵌合部を設置し、屋根の上部に設置する横長雪止アングルに固定される融雪用面状ヒーター支持部と、軒先嵌合部の上部に位置するコ字状載置固定部の上との間に融雪用面状ヒーターを載置固定することで融雪用面状ヒーターと屋根の間に空間を確保可能かつ容易な設置固定を目的とする。【選択図】図１
2005248680.tif 000002
【特許請求の範囲】
【請求項１】
瓦屋根に融雪用面状ヒーター（１）を設置する際、Ｌ字状雪止具（２）を瓦屋根適所に係止し、Ｌ字状雪止具（２）間を載架するよう横長雪止アングル（３）を係止し、軒先に位置する瓦先端部に軒先嵌合部（４）が嵌合係止し、軒先嵌合部（４）と連続又は連結する瓦係止部（５）を軒先に位置する瓦上部に嵌合係止し、瓦係止部（５）は先端部に軒先嵌合部（４）と当接固定することで上方向に段差を確保するコ字状載置固定部（６）を有し、横長雪止アングル（３）には融雪用面状ヒーター支持部（７）を固定し、融雪用面状ヒーター支持部（７）には少なくとも一か所ボルト孔（８）を有し、融雪用面状ヒーター（１）設置段階で、融雪用面状ヒーター（１）の下面下端部をコ字状載置固定具（６）に載置し、融雪用面状ヒーター（１）の上端部を融雪用面状ヒーター支持部（７）に載置し、融雪用面状ヒーター（１）上面を押え具（９）にて押圧当接しつつ押え具（９）の下端部をコ字状載置固定部（６）と、押え具（９）の上端部はボルト孔（８）を介して融雪用面状ヒーター支持部（７）とで各々挟接固定し、融雪用面状ヒーター（１）下面が瓦屋根とは当接せず一定の空間を有する融雪用面状ヒーター設置固定装置
【請求項２】
瓦屋根に融雪用面状ヒーター（１）を設置する際、Ｌ字状雪止具（２）を瓦屋根適所に係止し、Ｌ字状雪止具（２）間を載架するよう横長雪止アングル（３）を係止し、軒先に位置する瓦先端部に軒先嵌合部（４）が嵌合係止し、軒先嵌合部（４）と連続又は連結する瓦係止部（５）を軒先に位置する瓦上部に嵌合係止し、瓦係止部（５）は先端部に軒先嵌合部（４）と当接固定することで上方向に段差を確保するコ字状載置固定部（６）を有し、横長雪止アングル（３）には融雪用面状ヒーター支持部（７）を固定し、融雪用面状ヒーター支持部（７）には少なくとも一か所ボルト孔（８）を有し、融雪用面状ヒーター（１）設置段階で、融雪用面状ヒーター（１）の下面下端部をコ字状載置固定具（６）に載置し、融雪用面状ヒーター（１）の上端部を融雪用面状ヒーター支持部（７）に載置し、融雪用面状ヒーター（１）上面を押え具（９）にて押圧当接しつつ押え具（９）の下端部をコ字状載置固定部（６）と、押え具（９）の上端部はボルト孔（８）を介して融雪用面状ヒーター支持部（７）とで各々挟接固定し、融雪用面状ヒーター（１）下面が瓦屋根とは当接せず一定の空間を有する融雪用面状ヒーター設置固定方法
【請求項３】
平葺屋根に融雪用面状ヒーター（１）を設置する際、横長雪止アングル（３）を平葺屋根適所に係止し、軒先に位置する平葺先端部に軒先嵌合部（４）が嵌合係止し、軒先嵌合部（４）と連続又は連結する空間確保具（１０）は融雪用面状ヒーター（１）の下面と当接し、空間確保具（１０）の下端部は上方向に段差を確保するコ字状載置固定部（６）を有し、横長雪止アングル（３）には融雪用面状ヒーター支持部（７）を固定し、融雪用面状ヒーター支持部（７）には少なくとも一か所ボルト孔（８）を有し、融雪用面状ヒーター（１）設置段階で、融雪用面状ヒーター（１）の下面下端部をコ字状載置固定部（６）に載置し、融雪用面状ヒーター（１）上面を押え具（９）にて押圧当接しつつ押え具（９）の下端部はコ字状載置固定部（６）と固定し、融雪用面状ヒーター（１）の下面と当接する空間確保具（１０）の上端部をボルト孔（８）を介して、融雪用面状ヒーター支持部（７）とで挟接固定することで、融雪用面状ヒーター（１）下面が平葺屋根とは当接せず一定の空間を有する融雪用面状ヒーター設置固定装置
【請求項４】
平葺屋根に融雪用面状ヒーター（１）を設置する際、横長雪止アングル（３）を平葺屋根適所に係止し、軒先に位置する平葺先端部に軒先嵌合部（４）が嵌合係止し、軒先嵌合部（４）と連続又は連結する空間確保具（１０）は融雪用面状ヒーター（１）の下面と当接し、空間確保具（１０）の下端部は上方向に段差を確保するコ字状載置固定部（６）を有し、横長雪止アングル（３）には融雪用面状ヒーター支持部（７）を固定し、融雪用面状ヒーター支持部（７）には少なくとも一か所ボルト孔（８）を有し、融雪用面状ヒーター（１）設置段階で、融雪用面状ヒーター（１）の下面下端部をコ字状載置固定部（６）に載置し、融雪用面状ヒーター（１）上面を押え具（９）にて押圧当接しつつ押え具（９）の下端部はコ字状載置固定部（６）と固定し、融雪用面状ヒーター（１）の下面と当接する空間確保具（１０）の上端部をボルト孔（８）を介して、融雪用面状ヒーター支持部（７）とで挟接固定することで、融雪用面状ヒーター（１）下面が平葺屋根とは当接せず一定の空間を有する融雪用面状ヒーター設置固定方法
【請求項５】
トタン瓦棒平葺屋根に融雪用面状ヒーター（１）を設置する際、横長雪止アングル（３）をトタン瓦棒平葺屋根適所に係止し、軒先に位置するトタン瓦棒平葺屋根先端部を嵌合係止する軒先嵌合部（４）は上方向に段差を確保するコ字状載置固定部（６）を有し、横長雪止アングル（３）には融雪用面状ヒーター支持部（７）を固定し、融雪用面状ヒーター支持部（７）には少なくとも一か所ボルト孔（８）を有し、融雪用面状ヒーター（１）設置段階で、融雪用面状ヒーター（１）の下端部をコ字状載置固定具（６）に融雪用面状ヒーター（１）の上端部を融雪用面状ヒーター支持部（７）に載置し、融雪用面状ヒーター（１）上面を押え具（９）にて押圧当椄しつつ押え具（９）の下端部をコ字状載置固定具（６）と、押え具（９）の上端部はボルト孔（８）を介して融雪用面状ヒーター支持部（７）とで挟接固定することで、融雪用面状ヒーター（１）下面が平葺屋根とは当接せず一定の空間を有する融雪用面状ヒーター設置固定装置
【請求項６】
トタン瓦棒平葺屋根に融雪用面状ヒーター（１）を設置する際、横長雪止アングル（３）をトタン瓦棒平葺屋根適所に係止し、軒先に位置するトタン瓦棒平葺屋根先端部を嵌合係止する軒先嵌合部（４）は上方向に段差を確保するコ字状載置固定部（６）を有し、横長雪止アングル（３）には融雪用面状ヒーター支持部（７）を固定し、融雪用面状ヒーター支持部（７）には少なくとも一か所ボルト孔（８）を有し、融雪用面状ヒーター（１）設置段階で、融雪用面状ヒーター（１）の下端部をコ字状載置固定具（６）に融雪用面状ヒーター（１）の上端部を融雪用面状ヒーター支持部（７）に載置し、融雪用面状ヒーター（１）上面を押え具（９）にて押圧当接しつつ押え具（９）の下端部をコ字状載置固定具（６）と、押え具（９）の上端部はボルト孔（８）を介して融雪用面状ヒーター支持部（７）とで挟接固定することで、融雪用面状ヒーター（１）下面が平葺屋根とは当接せず一定の空間を有する融雪用面状ヒーター設置固定方法
【発明の詳細な説明】
【技術分野】
【０００１】  本発明は、屋根に降った雪が積雪、氷結しないための融雪用面状ヒーターを設置する装置及びその方法に関するものである。
【背景技術】
【０００２】  近年、積雪地域において、屋根に積雪した雪が氷結して屋根端や雨樋を破損したり、発生したつららが落下することで被害を及ぼすことがある。それを防ぐため、屋根に融雪用面状ヒーターを設置して積雪を融解させ水にして流す方法が実施されている。【０００３】  融雪用面状ヒーターは融雪パイプや温水型、温風型等で融雪するより、融雪熱が伝播する面積ははるかに広く、かつ重量不可も軽減されたいるため、融雪方法としては使用頻度の高い装置の一つである。【０００４】  融雪用面状ヒーターは屋根に設置されるため、ただ単に屋根に載置係止するのみでは風であおられたり、雪の重みでずれたりし、その結果落下する危険性さえ生じる可能性がある。そのため取り付け方法はかなり強固に設置する必要がある。そこで従来技術としては、太い鉄線を介して融雪用面状ヒーターと屋根等を連結したり、屋根自体に多数の桟木に固定し、桟木を介して融雪用面状ヒーターを設置する方法が考案されている。
【特許文献１】特開２００３−２１３８５２号公報
【発明の開示】
【発明が解決しようとする課題】
【０００５】  解決しようとする課題は主に次の５点である。まず第１に設置すべき対象が融雪用面状ヒーターであるため、その固定範囲は広範に亘りかつ風の揚力による吹き上がり、ずれ、落下をさせない固定方法の必要性が生じる。第２に一年を通して雨水がスムースに流れるように融雪用面状ヒーターと屋根の間の空間を確保することである。第３に屋根にかかる重量不可負担を如何に軽減するかであり、融雪用面状ヒーター自体の軽量化とともに固定具の効率化を図ることで全体の重量を軽減する必要が生じる。第４に屋根に融雪用面状ヒーターを固定する際、いかに能率よく短時間で安全に設置できるかである。第５には雨漏り等を新たに生じさせないためにもなるべく屋根自体に穴を開けたり等余分な工作をしないことである。【０００６】  融雪用面状ヒーター自体の考案はされているがその設置方法となると、現実には現場に一任される場合が多く、融雪用面状ヒーター及び屋根に多数の穴を開けた後太い鉄線を用いて連結する方法が一般的である。ところが多数の穴には雨水が入り込み、さびや耐久性の喪失を導く原因になってしまう。また完全に現場での作業となるため、効率的かつ短時間で設置することは困難であり、まして融雪用面状ヒーターと屋根の間の空間を確保するため、融雪用面状ヒーターを屋根から浮かせた状態で設置しなければならず、かなり高度な技術的工法が必要である。【０００７】  特開２００３−２１３８５２号では、融雪用面状ヒーターを囲む様に桟木を屋根に固定し、融雪用面状ヒーターを取り付けるのだが、桟木自体屋根に直接固定化されることになり、屋根を傷つけたり、固定された桟木によって、雨水の流れを妨害したり、桟木枠内に入り込んだ雨水や雪は桟木に遮られることで長時間蒸発することなくたまるため、桟木自体腐食する可能性があり、耐久性に乏しいといえる。
【課題を解決するための手段】
【０００８】  本発明は、以上５点の課題を克服し、屋根上で融雪する手段としてかなり有効的な器具としては広範囲に熱伝導可能な融雪用面状ヒーターを用いることが多くなる現状を鑑みると、その設置固定具及びその手段も又重要となっている。その結果設置手段としては以上の５点の課題が発生したのだが、本発明は、屋根や融雪用面状ヒーターを傷つけることなくかつどんな屋根にも対応可能な設置固定具を生み出したことにより、作業を効率よく簡易に短時間で終えることができることを目的とする。
【発明の効果】
【０００９】  積雪にある地方での屋根の形態は主に３種類に分けられ、瓦屋根、瓦棒葺屋根、平葺屋根であり、それぞれ表面の形態が異なるため、共通の設置固定具及び設置方法では融雪用面状ヒーターを屋根とは当接しないで固定するのは不可能である。【０００１０】  しかしながら本発明は屋根を殆ど傷つけたり穴を開けたりせず最低限の固定具にて効率よく簡易に短時間で設置する目的を有する固定具を提供するものであり、それぞれの屋根の形態によって若干設置固定具の形態が異なるが、その動機及び工法に対する考え方は全く同一である。【０００１１】  具体的には融雪用面状ヒーターを配置する屋根より上部に既に設置済の横長雪止アングルを利用するのだが、横長雪止アングルが設置されていない瓦屋根では横長雪止アングル支持金具を適数瓦の下に位置する下葺屋根に掛止させ、横長雪止アングル支持金具に横長雪止アングルを載置固定させる。後は支持固定具を介して横長雪止アングルと融雪用面状ヒーターを連結させ、屋根下端部に空間を確保すべくコ字状の載置固定具を掛止させ、その上に融雪用面状ヒーターを載置し、融雪用面状ヒーターの上面には融雪用面状ヒーターの浮き上がりを防止すべく幅３ｃｍ程度の板状の押え具を当接させ、他の固定具であるコ字状載置固定部と融雪用面状ヒーター支持部と連結すべく橋架させることで作業は終了するのである。【０００１２】  融雪用面状ヒーターと屋根との間に空間を確保する必要性は、雨水を滞ることなくスムースに融雪用面状ヒーターの下を流し、雨樋まで到達させるためである。【０００１３】  尚、平葺屋根では、融雪用面状ヒーターと屋根との間の空間確保のため、融雪用面状ヒーター下面に幅３ｃｍ程度の空間確保具を支持固定具と載置固定具とで連結すべく配置することになる。【０００１４】  以上のごとく本発明では、風の揚力による吹き上がりを防ぐべく融雪用面状ヒーター上面を板状の押え具で押えつつ固定し、かつ融雪用面状ヒーターと屋根との間は十分に空間が確保され、使用する設置固定具はすべて片手で簡単に持ち運ぶことができるほどかなり軽量化、スリム化され屋根に余分な重量不可は与えず、屋根自体には穴を開ける等一切の工作はしなくてよいため、屋根自体への耐久性は損ねることなく極めて短時間に容易に面状ヒーターの設置を完了することができる。
【発明を実施するための最良の形態】
【０００１５】  融雪用面状ヒーターを屋根の面積に合わせ、何枚か連結して屋根に敷くことになるが、設置固定具も一枚の融雪用面状ヒーターに必要な数に合わせて用意するのみでよいため、屋根の形状の違いで使用する設置固定具を事前に用意すればよく、設置方法の事前シュミレーションの必要はなく現場ですぐに作業に入ることができる。
【実施例】
【０００１６】  屋根に融雪用面状ヒーター（１）を設置する場合、屋根の軒先から９０ｃｍ位までの幅で載置固定しその範囲内で融雪すれば屋根から雪や氷結したつらら等が落下したり雨樋を破損させないもっとも効率の良い融雪用面状ヒーター（１）の使用形態であろう。【０００２０】  瓦屋根に融雪用面状ヒーター（１）の設置作業手順を請求項１、図面１、図面２をもとに説明すると、先ず融雪用面状ヒーター（１）載置する場所より上方の位置にＬ字状雪止具（２）を瓦の下面に当接している下葺部に適数係止し、Ｌ字状雪止具（２）間を載架するよう横長雪止アングル（３）を係止させる。【０００２１】  次に軒先に位置する瓦先端部に軒先嵌合部（４）を嵌合させ、軒先嵌合部（４）と連続又は連結する瓦係止部（５）を同一の瓦上端部に嵌合係止させる。瓦係止部（５）の下端部には融雪用面状ヒーター（１）端部が載置すべく上方向に段差を確保するコ字状載置固定具（６）を有してる。【０００２２】、横長雪止アングル（３）には軒先嵌合部（４）と同一直線上に位置するよう融雪用面状ヒーター支持部（７）を固定し、融雪用面状ヒーター支持部（７）には少なくとも一か所ボルト孔（８）を有する。融雪用面状ヒーター（１）載置段階で、融雪用面状ヒーター（１）の下面下端部をコ字状載置固定部（６）載置する。【０００２３】  更に、融雪用面状ヒーター（１）上面を押え具（９）に押え具（９）の下端部をコ字状載置固定部（６）と、上端部をボルト孔（８）を介して融雪用面状ヒーター支持部（７）とを各々挟接固定させる。【０００２４】  以上で融雪用面状ヒーター（１）設置作業は終了するのだが、コ字状載置固定部（６）上に融雪用面状ヒーター（１）を載置固定させるため、融雪用面状ヒーター（１）下面は瓦屋根とは一切当接せず一定の空間を有する状態で設置固定されることになる。【０００２５】  尚、平葺屋根に対しては融雪用面状ヒーター（１）と平葺屋根の間に空間を確保するため、融雪用面状ヒーター（１）下面に空間確保具（１０）を当接設置させるが、他の設置固定具は、トタン瓦棒平葺屋根に対しても、その形態に適合するよう用具の若干の形態変更が生じるのみで、設置固定方法は同様の作業手順で同様の効果を上げることができる。【０００２６】  以上の如く極めて容易な設置方法、工程であり、屋根自体には何等加工することなく、固定具自体かなり計量化、スリム化しているため余分な重量不可も与えず、耐久性も確保できる融雪用面状ヒーター（１）設置固定方法である。
【産業上の利用可能性】
【０００２７】  降雪地方における屋根に対する積雪は、雪下ろしを含めてかなりの深刻な問題であり、屋根の軒先にかかる重量不可や軒先から落下する雪、氷結した固まり、つらら等の落下は極めて危険な現象であり、軒先や雨樋をの損壊させることもある。そこで軒先に融雪用面状ヒーターを設置することがこの問題を解決する有効な手段といえよう。この融雪用面状ヒーターの設置方法として屋根を傷つけることなく、経済的、耐久性のある設置固定装置、設置固定方法としてかなり有効に利用できると考えられる。
【図面の簡単な説明】
【０００２８】
【図１】本件発明の請求項１、２に係る設置状態での実施図
【図２】本件発明の請求項１、２に係る設置固定装置利用形態断面図
【図３】本件発明の請求項３、４に係る設置固定装置利用形態断面図
【図４】本件発明の請求項５、６に係る設置固定装置利用形態断面図
【符号の説明】
【０００２９】１  融雪用面状ヒーター
２  Ｌ字状雪止具
３  横長雪止アングル（３）
４  軒先嵌合部（４）
５  瓦係止部（５）
６  コ字状載置固定部
７  融雪用面状ヒーター支持部
８  ボルト孔
９  押え具
１０空間確保具
【図１】
2005248680.tif 000003
【図２】
2005248680.tif 000004
【図３】
2005248680.tif 000005
【図４】
2005248680.tif 000006